(57)【特許請求の範囲】
【請求項１】
枠体と、該枠体の開放部に取り付けられ、端子部を有する絶縁基板と、該絶縁基板の下面に重ね合わされた状態で、前記枠体に取り付けられた取付板と、該取付板に固着され、端子を有するコネクタとを備え、前記取付板は、前記絶縁基板に重ね合わされる平板部と、該平板部から水平方向に延びる取付部と、前記端子部、及び前記端子との接触を避けるために、前記取付部と前記平板部との間に設けられた逃げ孔とを有し、前記取付板は、前記逃げ孔に前記端子部、及び前記端子を位置させた状態で、前記平板部を前記絶縁基板に重ね合わせて取り付けると共に、カシメによって前記コネクタを前記取付板に固着したことを特徴とするコネクタ付きスライド型電気部品。
【請求項２】
前記コネクタは、前記端子を取り付けた絶縁基体と、該絶縁基体に設けられた突起とを有し、該突起を前記取付部に設けた孔に挿通し、前記突起の先端をカシメてカシメ部を設けて、前記コネクタを前記取付部に固着したことを特徴とする請求項１記載のコネクタ付きスライド型電気部品。
【請求項３】
前記取付板には、その側部において、前記平板部と前記取付部とに跨って折り曲げ形成された側壁を設けたことを特徴とする請求項１、又は２記載のコネクタ付きスライド型電気部品。
【請求項４】
前記取付部の上面に前記絶縁基体を載置して、前記コネクネを前記取付部に固着したことを特徴とする請求項１，又は２、又は３記載のコネクタ付きスライド型電気部品。
【請求項５】
前記側壁は、前記枠体側に折り曲げ形成されたことを特徴とする請求項３、又は４記載のコネクタ付きスライド型電気部品。
【請求項６】
前記コネクタは、前記端子の外部接続用の接続部が前記平板部の面方向に延びるように、前記絶縁基体を倒した状態で、前記取付部に固着したことを特徴とする請求項４、又は５記載のコネクタ付きスライド型電気部品。
【請求項７】
前記コネクタは、前記端子の外部接続用の接続部が前記平板部に対して直角方向に延びるように、前記絶縁基体を直立した状態で、前記取付部に固着したことを特徴とする請求項４、又は５記載のコネクタ付きスライド型電気部品。
【請求項８】
前記カシメ部における前記取付板の下面側からの突出量を、前記逃げ孔に位置した前記端子における前記取付板の下面側からの突出量よりも大きくしたことを特徴とする請求項４〜７の何れかに記載のコネクタ付きスライド型電気部品。
【請求項９】
前記コネクタの前記端子には、その一端部にハトメ部を設け、該ハトメ部を前記絶縁基板の孔に挿通し、前記ハトメ部の先端をカシメて前記絶縁基板に固着すると共に、前記端子を前記絶縁基板の前記端子部に電気的に接続したことを特徴とする請求項１〜８の何れかに記載のコネクタ付きスライド型電気部品。
【発明の詳細な説明】
【０００１】
【発明の属する技術分野】
本発明は、可変抵抗器、スイッチ等の電気部品にコネクタを取り付けたコネクタ付きスライド型電気部品に関する。
【０００２】
【従来の技術】
従来のコネクタ付きスライド型電気部品について、コネクタ付きスライド型可変抵抗器を例に図２０〜図２２に基づいて説明すると、金属板を折り曲げにより形成した枠体５１は、上面部５１ａと、上面部５１ａから下方に折り曲げ形成された一対の側部５１ｂと、上面部５１ａの中央に設けられた長孔５１ｃと、側面部５１ｂの端部に設けられた複数個の爪部５１ｄと、下方部に形成された開放部５１ｅとを有している。
【０００３】
また、合成樹脂の成型品からなる摺動子受け５２は、基部５２ａと、基部５２ａから上方に突出したレバー５２ｂとを有する。
そして、この基部５２ａの下面には、金属板からなる摺動子５３が固着されており、摺動子５３を取り付けた摺動子受け５２は、開放部５１ｅより枠体５１内に挿入し、レバー５２ｂを長孔５１ｃから外方に突出させ、基部５２ａを枠体５１内に収納して取り付けられている。
【０００４】
また、絶縁基板５４は、その表面に抵抗体層５５及び導電体層５６が印刷等により帯状に形成され、該両層５５、５６の端部には銀等からなる端子部５５ａ、５６ａが設けられている。
また、筒状の金属から成る鳩目端子５７は、絶縁基板５４に設けた孔（図示せず）に挿通し、それぞれの端子部５５ａ、５６ａに導通した状態で、鳩目端子５７をカシメて絶縁基板５４に取り付けられている。
そして、このような絶縁基板５４は、枠体５１の開放部５１ｅを覆うように、枠体５１の下面に配置される。
この時、抵抗体層５５と導電体層５６には、摺動子５３が接触した状態となる。
【０００５】
また、取付板５８は、一枚の略長方形の平板状金属板を折り曲げることにより形成され、平板部５８ａと、該平板部５８ａから長手方向に延び且つ平板部５８ａの面に直交するように側部から立設した一対の腕部５８ｂとを有している。
また、該両腕部５８ｂの端部は更にそれぞれ互いに向き合う方向で、且つ、腕部５８ｂの面に直交するように折り曲げられて壁部５８ｃが形成され、該壁部５８ｃの先端が突き合わされ、この突き合わせ部は、互いに凹凸嵌合からなる係合部５８ｄにより係合されている。
【０００６】
更に、腕部５８ｂの途中には、腕部５８ｂの面と同一面方向に下方に突出した舌片５８ｅが設けられ、該舌片５８ｅは前記平板部５８ａの一端部側に腕部５８ｂと壁部５８ｃとで形成された空間部５８ｆに臨むようになっている。
更に又、前記平板部５８ａには機器本体との固定を果たすための固定穴５８ｇ、前記枠体５１の爪部５１ｄが挿入される複数個の孔５８ｈ、及び切り欠き部５８ｊが形成されると共に、前記舌片５８ｅの中央にも係止孔５８ｋが設けられている。
【０００７】
そして、この取付板５８は、平板部５８ａを絶縁基板５４の下面に重ね合わせて、孔５８ｈに枠体５１の爪部５１ｄを挿通すると共に、切り欠き部５８ｊに爪部５１ｄを位置させ、爪部５１ｄの先端部を折り曲げて、取付板５８が枠体５１に取り付けられると共に、この取付板５８によって、絶縁基板５４も枠体５１に取り付けられる。
この時、取付板５８の舌片５８ｅと係合孔５８ｋは、取付板５８の下面から下方に突出して状態と成っている。
そして、舌片５８ｅの下端部と枠体５１の上面との高さＨ４は、舌片５８ｅが取付板５８の下面から下方に突出しているため、大きなものとなっている。
【０００８】
また、コネクタ５９は、合成樹脂の成型品からなる絶縁基体６０と、この絶縁基体６０に埋設等により取り付けられ、丸線材から成る複数本の端子６１とで構成されている。
そして、絶縁基体６０の側部には、一対の凸状の係止部６０ａを設け、また、端子６１は、絶縁基体６０から上下に突設させて、絶縁基体６０の上面から突出し、絶縁基板５４の抵抗体層５５及び導電体層５６との導通を図る導通部６１ａと、絶縁基体６０の下面から突出し、外部機器側の雌型のコネクタ（図示せず）が接続される接続部６１ｂを有している。
【０００９】
そして、コネクタ５９の端子６１の導通部６１ａを、取付板５８の空間部５８ｆに露出した絶縁基板５４の鳩目端子５７に挿入し、絶縁基体６０の上面が絶縁基板５４に当接するまで導通部６１ａを鳩目端子５７に圧入して、電気的に導通させる。
この時、コネクタ５９の絶縁基体６０は、その係止部６０ａで取付板５８の舌片５８ｅをその弾性に抗して広げながら空間部５８ｅ内に挿入され、係止部６０ａを舌片５８ｅの係止孔５８ｋに嵌入させて、コネクタ５９が取付板５８に取り付けられている。
そして、取付板５８に取り付けられたコネクタ５９は、端子６１の接続部６１ｂが取付板５８の平板部５８ａと直角方向に延びて、絶縁基体６０が直立した状態で取り付けられ、且つ、絶縁基体６０が取付板５８の下面から下方に大きく突出し、絶縁基体６０の端部と枠体５１の上面との高さＨ５が大きなものとなっている。
【００１０】
そして、このようなコネクタ付スライド型電気部品は、カメラ等の機器に組み込まれ、取付板５８の固定穴５８ｇにより機器本体に固定される。
また、機器本体との電気的接続は、コネクタ付きスライド型電気部品の雄型コネクタ５９に機器本体のプリント基板に導通された雌型コネクタを接続するだけで容易に行うことができる。
なお、カメラのレンズ位置の検出等については、枠体５１から突出したレバ−５２ｂを駆動することにより、摺動子５３を抵抗体層５５、導電体層５６上で摺動させ、レバ−５２ｂの移動量を抵抗値変化として検出することができるようになっている。
【００１１】
また、図２３、図２４は従来のコネクタ付きスライド型電気部品を示し、図２３、図２４に示すものは、前者と同様に、コネクタ５９の端子６１の導通部６１ａを、取付板５８の空間部５８ｆに露出した絶縁基板５４の鳩目端子５７に挿入し、絶縁基体６０の上面が絶縁基板５４に当接するまで導通部６１ａを鳩目端子５７に圧入して、電気的に導通させている。
この時、前者と同様に、コネクタ５９の絶縁基体６０は、その係止部６０ａで取付板５８の舌片５８ｅをその弾性に抗して広げながら空間部５８ｅ内に挿入され、係止部６０ａを舌片５８ｅの係止孔５８ｋに嵌入させて、コネクタ５９が取付板５８に取り付けられている。
【００１２】
そして、取付板５８に取り付けられたコネクタ５９は、端子６１の接続部６１ｂが取付板５８の平板部５８ａの面方向に延びて、絶縁基体６０を倒した状態で取り付けられたものとなっている。
また、この後者の従来においても、舌片５８ｅの下端部と枠体５１の上面との高さＨ４は、舌片５８ｅが取付板５８の下面から下方に突出しているため、大きく、且つ、絶縁基体６０が取付板５８の下面から下方に突出し、絶縁基体６０の端部と枠体５１の上面との高さＨ６が大きなものとなっている。
【００１３】
【発明が解決しようとする課題】
従来のコネクタ付きスライド型電気部品において、コネクタ５９は、取付板５８の舌片５８ｅの係止孔５８ｋに係止部６０ａを掛け止めして、取付板５８に取り付けられるため、その取付強度が弱く、相手方コネクタを抜き差しする際、振れを生じるという問題がある。
そして、その振れにより、端子６１の導通部６１ａと鳩目端子５７との間が緩み、両者の導通性が悪くなるという問題がある。
【００１４】
また、取付板５８には、下面から下方に突出する舌片５８ｅを設けたものであるため、舌片５８ｅの下端部と枠体５１の上面との高さＨ４が大きくなって、大型に成るという問題がある。
更に、この舌片５８ｅにより、直立状態、或いは倒した状態でコネクタ５９を取り付けるものであるため、コネクタ５９が取付板５８の下面から下方に突出し、コネクタ５９の絶縁基体６０の端部と枠体５１の上面との高さＨ５、Ｈ６が大きくなり、大型に成るという問題がある。
【００１５】
また、コネクタ５９の端子６１と絶縁基板５４の端子部５５ａ、５６ａとを接続するために、圧入構成を使用しているため、鳩目端子５７を必要とし、部品点数が多い上に、作業性が悪く、コスト高に成るという問題がある。
【００１６】
【課題を解決するための手段】
上記課題を解決するための第１の解決手段として、枠体と、該枠体の開放部に取り付けられ、端子部を有する絶縁基板と、該絶縁基板の下面に重ね合わされた状態で、前記枠体に取り付けられた取付板と、該取付板に固着され、端子を有するコネクタとを備え、前記取付板は、前記絶縁基板に重ね合わされる平板部と、該平板部から水平方向に延びる取付部と、前記端子部、及び前記端子との接触を避けるために、前記取付部と前記平板部との間に設けられた逃げ孔とを有し、前記取付板は、前記逃げ孔に前記端子部、及び前記端子を位置させた状態で、前記平板部を前記絶縁基板に重ね合わせて取り付けると共に、カシメによって前記コネクタを前記取付板に固着した構成とした。
また、第２の解決手段として、前記コネクタは、前記端子を取り付けた絶縁基体と、該絶縁基体に設けられた突起とを有し、該突起を前記取付部に設けた孔に挿通し、前記突起の先端をカシメてカシメ部を設けて、前記コネクタを前記取付部に固着した構成とした。
【００１７】
また、第３の解決手段として、前記取付板には、その側部において、前記平板部と前記取付部とに跨って折り曲げ形成された側壁を設けた構成とした。
また、第４の解決手段として、前記取付部の上面に前記絶縁基体を載置して、前記コネクタを前記取付部に固着した構成とした。
また、第５の解決手段として、前記側壁は、前記枠体側に折り曲げ形成された構成とした。
また、第６の解決手段として、前記コネクタは、前記端子の外部接続用の接続部が前記平板部の面方向に延びるように、前記絶縁基体を倒した状態で、前記取付部に固着した構成とした。
【００１８】
また、第７の解決手段として、前記コネクタは、前記端子の外部接続用の接続部が前記平板部に対して直角方向に延びるように、前記絶縁基体を直立した状態で、前記取付部に固着した構成とした。
また、第８の解決手段として、前記カシメ部における前記取付板の下面側からの突出量を、前記逃げ孔に位置した前記端子における前記取付板の下面側からの突出量よりも大きくした構成とした。
また、第９の解決手段として、前記コネクタの前記端子には、その一端部にハトメ部を設け、該ハトメ部を前記絶縁基板の孔に挿通し、前記ハトメ部の先端をカシメて前記絶縁基板に固着すると共に、前記端子を前記絶縁基板の前記端子部に電気的に接続した構成とした。
【００１９】
【発明の実施の形態】
本発明のコネクタ付きスライド型電気部品の第１実施例を図１〜図１１に基づいて説明すると、図１〜図１１は何れも本発明のコネクタ付きスライド型電気部品の第１実施例を示し、図１は平面図、図２は正面図、図３は下面図、図４は右側面図、図５は分解斜視図、図６は取付板の平面図、図７は取付板の正面図、図８は取付板の右側面図、図９はコネクタの平面図、図１０はコネクタの正面図、図１１は図９の１１−１１線における断面図である。
【００２０】
次に、本発明のコネクタ付きスライド型電気部品について、コネクタ付きスライド型可変抵抗器を例に図１〜図１１に基づいて説明すると、金属板を折り曲げにより形成した枠体１は、上面部１ａと、上面部１ａから下方に折り曲げ形成された一対の側部１ｂと、上面部１ａの中央に設けられた長孔１ｃと、側面部１ｂの端部に設けられた複数個の爪部１ｄと、下方部に形成された開放部１ｅとを有している。
【００２１】
また、合成樹脂の成型品からなる摺動子受け２は、基部２ａと、基部２ａから上方に突出したレバー２ｂとを有する。
そして、この基部２ａの下面には、金属板からなる摺動子３が固着されており、摺動子３を取り付けた摺動子受け２は、開放部１ｅより枠体１内に挿入し、レバー２ｂを長孔１ｃから外方に突出させ、基部２ａを枠体１内に収納して取り付けられている。
【００２２】
また、絶縁基板４は、その表面に抵抗体層５及び導電体層６が印刷等により帯状に形成され、該両層５、６の端部には銀等からなる端子部５ａ、６ａが設けられている。
そして、このような絶縁基板４は、枠体１の開放部１ｅを覆うように、枠体１の下面に配置される。
この時、抵抗体層５と導電体層６には、摺動子３が接触した状態となる。
【００２３】
また、取付板８は、特に図６〜図８に示すように、一枚の略長方形の平板状金属板を折り曲げることにより形成され、平板部８ａと、該平板部８ａから水平方向に延びて形成された取付部８ｂと、取付部８ｂに設けられた孔８ｃと、平板部８ａと取付部８ｂとの間に設けられた逃げ孔８ｄと、側部において、平板部８ａと取付部８ｂとに跨って形成された一対の側壁８ｅとを有する。
更に、取付板８の平板部８ａには、機器本体との固定を果たすための固定穴８ｆと、枠体１の爪部１ｄが挿入される複数個の孔８ｇ、及び切り欠き部８ｈが形成されている。
【００２４】
そして、この取付板８は、逃げ孔８ｄが絶縁基板４の端子部５ａ、６ａに位置した状態で、平板部８ａを絶縁基板４の下面に重ね合わせて、孔８ｇに枠体１の爪部１ｄを挿通すると共に、切り欠き部８ｈに爪部１ｄを位置させ、爪部１ｄの先端部を折り曲げて、取付板８が枠体１に取り付けられると共に、この取付板８によって、絶縁基板４も枠体１に取り付けられる。
この時、取付板８の側壁８ｅは、枠体１側に位置した状態となっており、そして、取付板８の下面と枠体１の上面との高さＨ１は、舌片５８ｅが無いことから従来に比して小さくなっている。
【００２５】
また、コネクタ９は、特に図９〜図１１に示すように、合成樹脂の成型品からなる絶縁基体１０と、この絶縁基体１０に埋設等により取り付けられ、金属板から成る複数本の端子１１とで構成されている。
そして、絶縁基体１０の下面には、複数個の突起１０ａを設け、また、端子１１は、絶縁基体１０から上下に突設させて、絶縁基体１０の下面から突出し、絶縁基板４上の抵抗体層５及び導電体層６の端子部５ａ、６ａとの導通を図る導通部１１ａに設けられた鳩目部１ｂと、絶縁基体１０の上面から突出し、外部機器側の雌型のコネクタ（図示せず）が接続される接続部１１ｃを有している。
【００２６】
そして、端子１１のハトメ部１１ｂを絶縁基板４の孔に挿通してカシメ付けて、導通部１１ａと端子部５ａ、６ａとを電気的に導通させる。
また、コネクタ９の絶縁基体１０の下面は、取付部８ｂの上面に載置した状態で、突起１０ａを孔８ｃに挿通し、突起１０ａの先端をカシメによりカシメ部１０ｂを設けて、コネクタ９を取付部８ｂに固着している。
そして、取付板８に取り付けられたコネクタ９は、端子１１の接続部１１ｃが取付板８の平板部８ａと直角方向に延びて、絶縁基体１０が直立した状態で取り付けられ、絶縁基体１０の大部分が枠体１の高さ内にあることから、取付板８の下面と絶縁基体１０の上端部と高さＨ２は従来に比して小さいものとなっている。
【００２７】
また、コネクタ９が取り付けられた時、逃げ孔８ｄに端子１１の導通部１１ａが位置して、接触を避けている。
更に、カシメ部１０ｂは、取付板８の下面側からの下方への突出量が逃げ孔８ｄに位置する端子１１の導通部１１ａにおける取付板８の下面側からの突出量より大きくしている。
これによって、コネクタ付きスライド型電気部品が機器本体に取り付けられ、取付板８の下面に機器本体側の部材が位置したときにおける端子１１の絶縁を図っている。
【００２８】
そして、このようなコネクタ付スライド型電気部品は、カメラ等の機器に組み込まれ、取付板８の固定穴８ｆにより機器本体に固定される。
また、機器本体との電気的接続は、コネクタ付きスライド型電気部品の雄型コネクタ９に機器本体のプリント基板に導通された雌型コネクタを接続するだけで容易に行うことができる。
なお、カメラのレンズ位置の検出等については、枠体１から突出したレバ−２ｂを駆動することにより、摺動子３を抵抗体層５、導電体層６上で摺動させ、レバ−２ｂの移動量を抵抗値変化として検出することができるようになっている。
【００２９】
また、図１２〜図１９は本発明のコネクタ付きスライド型電気部品の第２実施例を示し、図１２は平面図、図１３は正面図、図１４は下面図、図１５は右側面図、図１６は分解斜視図、図１７はコネクタの平面図、図１８はコネクタの正面図、図１９は図１７の１９−１９線における断面図である。
【００３０】
そして、図１２〜図１９に示す第２実施例は、コネクタ９を倒した状態で取り付けたもので、その構成は、端子１１のハトメ部１１ｂを絶縁基板４の孔に挿通してカシメ付けて、導通部１１ａと端子部５ａ、６ａとを電気的に導通させると共に、コネクタ９の絶縁基体１０の下面は、取付部８ｂの上面に載置した状態で、突起１０ａを孔８ｃに挿通し、突起１０ａの先端をカシメによりカシメ部１０ｂを設けて、コネクタ９を取付部８ｂに固着している。
そして、取付板８に取り付けられたコネクタ９は、端子１１の接続部１１ｃが取付板８の平板部８ａの面方向に延びて、絶縁基体１０が倒れた状態で取り付けられ、絶縁基体１０の大部分が枠体１の高さ内にあることから、取付板８の下面と絶縁基体１０の上端部と高さＨ３は従来に比して小さいものとなっている。
【００３１】
また、コネクタ９が取り付けられた時、逃げ孔８ｄに端子１１の導通部１１ａが位置して、接触を避けている。
更に、カシメ部１０ｂは、取付板８の下面側からの下方への突出量が逃げ孔８ｄに位置する端子１１の導通部１１ａにおける取付板８の下面側からの突出量より大きくしている。
これによって、コネクタ付きスライド型電気部品が機器本体に取り付けられ、取付板８の下面に機器本体側の部材が位置したときにおける端子１１の絶縁を図っている。
そして、その他の構成は、前記第１実施例と同様であるので、同一部品に同一番号を付し、ここではその説明を省略する。
【００３２】
【発明の効果】
本発明のコネクタ付きスライド型電気部品において、取付板８は逃げ孔８ｄに端子部５ａ、６ａ、及び端子１１を位置させた状態で、平板部８ａを絶縁基板４に重ね合わせて取り付けると共に、カシメによってコネクタ９を取付板８に固着したため、従来に比してコネクタ９の取付強度が強く、安定した相手方コネクタの抜き差しができるコネクタ付きスライド型電気部品を提供できる。
また、コネクタ９は、端子１１を取り付けた絶縁基体１０と、該絶縁基体１０に設けられた突起１０ａとを有し、該突起１０ａを取付部８に設けた孔８ｃに挿通し、突起１０ａの先端をカシメてカシメ部１０ｂを設けて、コネクタ９を取付部８に固着したため、その構成が簡単で、一平面内に複数のカシメ部を設けることとなるので生産性が良く、安価なコネクタ付きスライド型電気部品を提供できる。
【００３３】
また、取付板８には、その側部において、平板部８ａと取付部８ｂとに跨って折り曲げ形成された側壁８ｅを設けたため、この側壁８ｅで取付部８ｂの強度を強くでき、破損の少ないコネクタ付きスライド型電気部品を提供できる。
また、取付部８ｂの上面に絶縁基体１０を載置して、コネクタ９を取付部８ｂに固着したため、コネクタ９の大部分を枠体１の高さ内に位置させることができて、小型のコネクタ付きスライド型電気部品を提供できる。
また、側壁８ｅは、枠体１側に折り曲げ形成されたため、取付板８の下面からコネクタ９の上端部までの高さＨ２、Ｈ３は、従来のものに比して小さく、小型のコネクタ付きスライド型電気部品を提供できる。
【００３４】
また、コネクタ９は、端子１１の外部接続用の接続部１１ｃが平板部８ａの面方向に延びるように、絶縁基体１０を倒した状態で、取付部８ｂに固着したため、枠体１と取付板８とで占める高ささＨ１、及び取付板８の下面からコネクタ９の上端部までの高さＨ３は、従来のものに比して小さく、小型のコネクタ付きスライド型電気部品を提供できる。
また、コネクタ９は、端子１１の外部接続用の接続部１１ｃが平板部８ａに対して直角方向に延びるように、絶縁基体１０を直立した状態で、取付部８ｂに固着したため、枠体１と取付板８とで占める高ささＨ１、及び取付板８の下面からコネクタ９の上端部までの高さＨ２は、従来のものに比して小さく、小型のコネクタ付きスライド型電気部品を提供できる。
【００３５】
また、カシメ部１０ｂにおける取付板８の下面側からの突出量を、逃げ孔８ｄに位置した端子１１における取付板８の下面側からの突出量よりも大きくしたため、コネクタ付きスライド型電気部品が機器本体に取り付けられ、取付板８の下面に機器本体側の部材が位置したときにおける端子１１の絶縁を図ることができて、使用性に優れたコネクタ付きスライド型電気部品を提供できる。
【００３６】
また、コネクタ９の端子１１には、その一端部にハトメ部１１ｂを設け、該ハトメ部１１ｂを絶縁基板４の孔に挿通し、ハトメ部１１ｂの先端をカシメて絶縁基板４に固着すると共に、端子１１を絶縁基板４の端子部５ａ、６ａに電気的に接続したため、従来の圧入するものに比して、強固な接続構造が提供でき、電気的接続の確実な長寿命のコネクタ付きスライド型電気部品を提供できる。
また、従来の鳩目端子５７が不要で、部品点数が少なく、生産性が良好で、安価なコネクタ付きスライド型電気部品を提供できる。
【図面の簡単な説明】
【図１】本発明のコネクタ付きスライド型電気部品の第１実施例に係る平面図。
【図２】本発明のコネクタ付きスライド型電気部品の第１実施例に係る正面図。
【図３】本発明のコネクタ付きスライド型電気部品の第１実施例に係る下面図。
【図４】本発明のコネクタ付きスライド型電気部品の第１実施例に係る右側面図。
【図５】本発明のコネクタ付きスライド型電気部品の第１実施例に係る分解斜視図。
【図６】本発明のコネクタ付きスライド型電気部品の第１実施例に係る取付板の平面図。
【図７】本発明のコネクタ付きスライド型電気部品の第１実施例に係る取付板の正面図。
【図８】本発明のコネクタ付きスライド型電気部品の第１実施例に係る取付板の右側面図。
【図９】本発明のコネクタ付きスライド型電気部品の第１実施例に係るコネクタの平面図。
【図１０】本発明のコネクタ付きスライド型電気部品の第１実施例に係るコネクタの正面図。
【図１１】図９の１１−１１線における断面図。
【図１２】本発明のコネクタ付きスライド型電気部品の第２実施例に係る平面図。
【図１３】本発明のコネクタ付きスライド型電気部品の第２実施例に係る正面図。
【図１４】本発明のコネクタ付きスライド型電気部品の第２実施例に係る下面図。
【図１５】本発明のコネクタ付きスライド型電気部品の第２実施例に係る右側面図。
【図１６】本発明のコネクタ付きスライド型電気部品の第２実施例に係る分解斜視図。
【図１７】本発明のコネクタ付きスライド型電気部品の第２実施例に係るコネクタの平面図。
【図１８】本発明のコネクタ付きスライド型電気部品の第２実施例に係るコネクタの正面図。
【図１９】図１７の１９−１９線における断面図。
【図２０】従来のコネクタ付きスライド型電気部品の分解斜視図。
【図２１】従来のコネクタ付きスライド型電気部品に係り、コネクタを直立して取り付けた状態を示す正面図。
【図２２】従来のコネクタ付きスライド型電気部品に係り、コネクタを直立して取り付けた状態を示す下面図。
【図２３】従来のコネクタ付きスライド型電気部品に係り、コネクタを倒して取り付けた状態を示す正面図。
【図２４】従来のコネクタ付きスライド型電気部品に係り、コネクタを倒して取り付けた状態を示す下面図。
【符号の説明】
１  枠体
１ａ  上面部
１ｂ  側面部
１ｃ  長孔
１ｄ  爪部
１ｅ  開放部
２  摺動子受け
２ａ  基部
２ｂ  レバー
３  摺動子
４  絶縁基板
５  抵抗体層
５ａ  端子部
６  導電体層
６ａ  端子部
８  取付板
８ａ  平板部
８ｂ  取付部
８ｃ  孔
８ｄ  逃げ孔
８ｅ  側壁
８ｆ  固定穴
８ｇ  孔
８ｈ  切り欠き部
９  コネクタ
１０  絶縁基体
１０ａ  突起
１０ｂ  カシメ部
１１  端子
１１ａ  導通部
１１ｂ  ハトメ部
１１ｃ  接続部
Ｈ１  高さ
Ｈ２  高さ
Ｈ３  高さ
【図１】
0003592953.tif 000002
【図２】
0003592953.tif 000003
【図３】
0003592953.tif 000004
【図４】
0003592953.tif 000005
【図５】
0003592953.tif 000006
【図６】
0003592953.tif 000007
【図７】
0003592953.tif 000008
【図８】
0003592953.tif 000009
【図９】
0003592953.tif 000010
【図１０】
0003592953.tif 000011
【図１１】
0003592953.tif 000012
【図１２】
0003592953.tif 000013
【図１３】
0003592953.tif 000014
【図１４】
0003592953.tif 000015
【図１５】
0003592953.tif 000016
【図１６】
0003592953.tif 000017
【図１７】
0003592953.tif 000018
【図１８】
0003592953.tif 000019
【図１９】
0003592953.tif 000020
【図２０】
0003592953.tif 000021
【図２１】
0003592953.tif 000022
【図２２】
0003592953.tif 000023
【図２３】
0003592953.tif 000024
【図２４】
0003592953.tif 000025